(57)【要約】      （修正有）【課題】濾過性能が高く、表面を直接手で触れても問題の少ないマスクを提供する。【解決手段】少なくともフィルタ層２２０と表面層２１０，２４０からなる多層構造を有するマスクであって、少なくとも一方の表面層が柿渋、またはタンニンを含む植物由来の抗菌剤を含有する。吸湿性を有する繊維層であることが好ましい。【選択図】図３
0003187487.tif 000002
【実用新案登録請求の範囲】
【請求項１】
多層構造を有するマスクであって、前記多層構造の少なくとも一方の表面層が植物由来の抗菌剤を含有する層であることを特徴とするマスク。
【請求項２】
前記植物由来の抗菌剤がタンニンを含むことを特徴とする、請求項１に記載のマスク。
【請求項３】
前記植物由来の抗菌剤が柿渋であることを特徴とする、請求項１に記載のマスク。
【請求項４】
前記多層構造のうち前記植物由来の抗菌剤を含有する層以外の少なくとも１つの層が、ポリプロピレン繊維層であることを特徴とする、請求項１乃至３の何れか１項に記載のマスク。
【請求項５】
前記植物由来の抗菌剤を含有する層が、吸湿性を有する繊維層であることを特徴とする、請求項１乃至４の何れか１項に記載のマスク。
【請求項６】
前記多層構造の双方の表面層が植物由来の抗菌剤を含有することを特徴とする、請求項１乃至５の何れか１項に記載のマスク。
【考案の詳細な説明】
【技術分野】
【０００１】
本考案は、マスクに関する。
【背景技術】
【０００２】
マスクの表面には、多くの病原体、雑菌又はウイルス等が使用中に集積される。このため、マスクは、原則として使い捨てされるべきである。また、マスクの使用中及びマスクを外す際には、マスク表面にはあまり触れないことが好ましい。
【０００３】
一方で、濾過性能の高い多層構造を有するマスクが知られている。このようなマスクに抗菌性を付与することも知られているが、中間層に抗菌剤を付与することが多く、また抗菌剤としては銀のような無機物質を用いることが多かった（例えば特許文献１）。
【先行技術文献】
【特許文献】
【０００４】
【特許文献１】特開２００５−３３４１３７号公報
【考案の概要】
【考案が解決しようとする課題】
【０００５】
しかしながら、現実にはマスクは再利用されており、具体的には、１日１枚程度のマスクが着脱を繰り返しながら用いられることが多い。また、着脱の際には、マスク表面を直接手で触れることが多い。このように、繰り返し使用されたマスク表面に手で触った後に、例えば食事のために食器又は食品を直接手で触ることは、病原体による感染につながりうる。
【０００６】
本考案は、濾過性能が高く、表面を直接手で触れても問題の少ないマスクを提供することを目的とする。
【課題を解決するための手段】
【０００７】
本考案の目的を達成するために、例えば、本考案のマスクは以下の構成を備える。すなわち、
多層構造を有するマスクであって、前記多層構造の少なくとも一方の表面層が植物由来の抗菌剤を含有することを特徴とする。
【考案の効果】
【０００８】
濾過性能が高く、表面を直接手で触れても問題の少ないマスクを提供することができる。
【図面の簡単な説明】
【０００９】
【図１】本考案に係るマスクの一例の模式図。
【図２】本考案に係るマスクの本体部の構成の一例を示す図。
【図３】本考案に係るマスクの本体部の構成の一例を示す図。
【考案を実施するための形態】
【００１０】
以下、本考案の実施形態を図面に基づいて説明する。ただし、本考案の範囲は以下の実施例に限定されるものではない。
【００１１】
本考案の一実施形態に係るマスクは、多層構造を有するマスクであって、多層構造の少なくとも一方の表面層が植物由来の抗菌剤を含有する。図１は、本考案の一実施形態に係るマスクの模式図である。図１には平型のマスクを示しているが、図１に示す構造は一例に過ぎず、本実施形態に係るマスクはプリーツ型であってもよいし、立体型であってもよい。
【００１２】
本実施形態に係るマスク１００は、多層構造を有する本体部１１０と、１対の耳かけ部１２０とを有する。耳かけ部１２０はその両端が本体部１１０に取り付けられている。耳かけ部１２０の構成は特に限定されず、例えばゴム、ひも、又は細長い不織布等でありうる。
【００１３】
本体部１１０は、マスク１００が装着された際に口を覆い、フィルタとしての役割を発揮する。本体部１１０は多層構造を有しており、多層構造の少なくとも一方の表面層が植物由来の抗菌剤を含有する。多層構造のために、本実施形態に係るマスク１００は比較的高い濾過性能を有する。
【００１４】
このように表面層に存在する植物由来の抗菌剤は、マスク１００の表面に集積された雑菌等に対する殺菌、滅菌、又は抗菌作用を示すため、マスク１００の表面を手で触ることにより手が汚染されることを防ぐことができる。一実施形態において、植物由来の抗菌剤はさらに消臭作用を示すために、マスク１００を快適に装着することが可能となる。さらには、本実施形態においては植物由来の抗菌剤が用いられるために、人体に対する害が少なく、口を覆うマスクとして好適に使用することができる。一実施形態においては、マスク１００の製造において化学薬品を使用する必要はなく、植物由来の成分を用いてマスク１００を製造することができる。
【００１５】
また、本体部１１０の多層構造のうち植物由来の抗菌剤を含有しない層には、従来から用いられているマスクと同様の構成を用いることができる。すなわち、既存の優秀なマスクに見られる層構造と植物由来の抗菌剤を含有する層とを組み合わせることにより、有害な微粒子雑菌、又はウイルス等の侵入をマスクにより阻止するだけでなく、雑菌等を殺菌、滅菌、抗菌、又は消臭することができる。
【００１６】
以下に、本体部１１０のより詳しい構造について、図２及び３を参照して説明する。図２及び３は、それぞれ本体部１１０の実施形態の一例を示す。
【００１７】
図２に示す本体部１１０は、外側層２１０と、フィルタ層２２０とを備える。図２に示すように、本体部１１０はさらに内側層２３０を有していてもよい。図２に示すように、外側層２１０は、外側層２１０及びフィルタ層２２０を含む多層構造の一方の表面に存在する。外側層２１０は、マスク１００を装着した際に外側（口から遠い側）に位置することが、マスクの取り外しのためにマスク表面を手で触ることによる汚染をよりよく防止しうる点で好ましい。しかしながら、外側層２１０は、マスク１００を装着した際に内側（口に近い側）に位置してもよい。
【００１８】
外側層２１０は、自然植物由来の抗菌剤を含有する層である。自然植物由来の抗菌剤としては、限定されるわけではないが、柿、茶、栗又はブドウ等の抽出物を用いることができる。一実施形態において、自然植物由来の抗菌剤とは、水溶性の植物抽出物である。好ましくは、自然植物由来の抗菌剤は自然植物から抽出されたタンニンを含有する。柿、茶、栗又はブドウ等の抽出物はタンニンを含有していることが知られている。また、タンニンは、抗菌性を示すことがよく知られている。
【００１９】
自然植物由来の抗菌剤の一例としては、柿渋が挙げられる。柿渋は、渋柿を圧搾することにより得られた搾汁を発酵することにより得られ、タンニンを豊富に含んでいる。柿渋は、抗菌性だけでなく、抗ウイルス性をも示すことが知られている（例えば、特開昭５４−１４５４５号公報）。柿渋としては、脱臭されたものを用いることがより好ましい。
【００２０】
外側層２１０は、自然植物由来の抗菌剤を含有する繊維層でありうる。繊維層は、織布であってもよいし不織布であってもよい。繊維層の素材としては、吸湿性を有する繊維を用いることが好ましい。すなわち、外側層は、吸湿性を有する繊維層でありうる。自然植物由来の抗菌剤は水溶性であることが多いため、吸湿性を有する繊維層を自然植物由来の抗菌剤を含む水溶液に浸漬することにより、容易に繊維層に抗菌剤を含有させることができる。吸湿性を有する繊維の吸湿性は、抗菌剤を含む水溶液に浸漬した際に抗菌剤を含有することができる程度であればよく、それほど高くなくても構わない。例えば、吸湿性の繊維としては、限定されるわけではないが、ポリエステル、アクリル、ナイロン及び綿等が挙げられる。一方で、高い濾過性能を有するマスク用フィルタの材料として用いられているポリプロピレンは、比重が軽いため水に浮かび、かつ吸湿性及び染色性が非常に低いため、抗菌剤を含む水溶液に浸漬することにより抗菌剤を含有させることは容易ではない。
【００２１】
フィルタ層２２０の構成は特に限定されないが、高い濾過性能を有する繊維層を用いることが好ましい。具体的には、フィルタ層２２０の細菌濾過効率（ＢＦＥ）は９５％以上であることが好ましく、９８％以上であることがより好ましい。また、フィルタ層２２０の微粒子濾過効率（ＰＦＥ）は９５％以上であることが好ましく、９８％以上であることがより好ましい。例えば、フィルタ層２２０の好ましい例としては、高い濾過性能を有することが知られているポリプロピレン繊維層が挙げられる。ポリプロピレンは、比重が小さく、耐薬品性（耐酸性及び耐アルカリ性）に優れ、高い耐熱性を有する。さらに、強度が高く、繊維が緻密であるため、有害な微粒子及び細菌をカットしやすい。
【００２２】
内側層２３０の構成は特に限定されず、任意のものを用いることができる。本実施形態においては、肌触りがソフトで通気性が高くなるように処理されたポリプロピレン繊維が用いられている。
【００２３】
図３に示す本体部１１０は、外側層２１０と、フィルタ層２２０と、外側層２４０とを備える。図３に示すように、本体部１１０はさらに内側層２３０を有していてもよい。図３に示すように、外側層２１０及び２４０は、外側層２１０、フィルタ層２２０、及び外側層２４０を含む多層構造の双方の表面に存在する。外側層２４０は自然植物由来の抗菌剤を含有する層であり、上述した外側層２１０と同様のものを用いることができる。自然植物由来の抗菌剤を含有する層が両面に存在することにより、マスク１００の表面を手で触ることにより手が汚染されることをより確実に防止しうる。
【００２４】
一実施形態において、本体部１１０は、外側層２１０と、１以上の層を含む積層体とが、積層された構造を有する。別の一実施形態において、本体部１１０は、外側層２１０と、１以上の層を含む積層体と、外側層２４０とが、この順に積層された構造を有する。一実施形態においては、本体部１１０の多層構造のうち自然植物由来の抗菌剤を含有する外側層２１０，２４０以外の少なくとも１つの層が、フィルタ層２２０のようなポリプロピレン繊維層である。
【００２５】
本体部１１０の大きさ及び厚さは特に制限されず、従来用いられているマスクと同様の寸法を有しうる。
【００２６】
本実施形態に係るマスク１００の製造方法は特に限定されないが、例えば本体部１１０に耳かけ部１２０を取り付けることにより作製できる。本体部１１０は、外側層２１０及びフィルタ層２２０、並びに必要に応じて内側層２３０及び外側層２４０を、例えば接着剤等を用いて貼り合わせることにより作製できる。自然植物由来の抗菌剤を含有する外側層２１０，２４０は、例えば、自然植物由来の抗菌剤を含有する水溶液に繊維層を浸漬し、その後乾燥させることにより作製することができる。
【００２７】
外側層２１０，２４０は、自然植物由来の抗菌剤の他にゼオライトを含有していてもよい。このような外側層２１０，２４０においては、ゼオライトが悪臭成分を吸着し、消臭効果を発揮することが期待される。このような外側層２１０，２４０は、ゼオライトを含有する柿渋液に繊維層を浸漬することにより製造することができる。特に、柿渋原液、ゼオライト粉末、及び水を混合して沸騰させて得た柿渋液を用いて外側層２１０，２４０を作製することが好ましい。こうして作製された外側層については、柿渋の臭いが大きく低減されていることが評価者によって確認されているとともに、公的検査機関による試験により黄色ブドウ球菌及び大腸菌に対する抗菌性が確認されている。
【００２８】
以上説明した一実施形態に係るマスク１００は、植物由来の抗菌剤を含有する外側層２１０と、濾過性能の高いフィルタ層２２０との相乗効果のために、清潔性が高くかつ高い性能を示す。
【図１】
0003187487.tif 000003
【図２】
0003187487.tif 000004
【図３】
0003187487.tif 000005